(57)【特許請求の範囲】
【請求項１】
ネットワークに接続された第１の情報処理装置から指示を与え、第２または第３の情報処理装置でその指示に基づく所定の処理を行うシステムであって、前記第２の情報処理装置から前記第３の情報処理装置にジョブを転送し、前記第３の情報処理装置が認証キーを生成して送信するシステムにおける前記第１の情報処理装置は、
前記ネットワークに接続された第２の情報処理装置に対して要求したジョブを、前記第２の情報処理装置から第３の情報処理装置へ転送する旨を前記第２の情報処理装置から受信する転送通知受信手段と、
前記転送通知受信手段で受けた前記ジョブを転送する旨に基づき、前記第２の情報処理装置から前記第３の情報処理装置へ前記ジョブを転送するのに必要な認証キーを前記第３の情報処理装置から獲得する獲得手段と、
前記獲得手段で獲得した前記認証キーを前記第２の情報処理装置へ通知する認証情報通知手段と
を備えていることを特徴とする第１の情報処理装置。
【請求項２】
ネットワークに接続された第１の情報処理装置から指示を与え、第２または第３の情報処理装置でその指示に基づく所定の処理を行うシステムであって、前記第２の情報処理装置から前記第３の情報処理装置にジョブを転送し、前記第３の情報処理装置が認証キーを生成して送信するシステムにおける前記第１の情報処理装置は、
前記ネットワークに接続された第２の情報処理装置に対して要求したジョブを、第２の情報処理装置から第３の情報処理装置へ転送する旨を前記第２の情報処理装置から受信する転送通知受信手段と、
前記転送通知受信手段で受けた前記ジョブを転送する旨に基づき、前記第２の情報処理装置から前記第３の情報処理装置へ前記ジョブを転送するのに必要な認証キーを前記第３の情報処理装置から前記第２の情報処理装置へ送信する旨を前記第３の情報処理装置に通知する認証情報送信指示手段と
を備えていることを特徴とする第１の情報処理装置。
【請求項３】
ネットワークに接続された第１の情報処理装置から指示を与え、第２または第３の情報処理装置でその指示に基づく所定の処理を行うシステムであって、前記第２の情報処理装置から前記第３の情報処理装置にジョブを転送し、前記第３の情報処理装置が認証キーを生成して送信するシステムにおける前記第１の情報処理装置は、
前記ネットワークに接続された第２の情報処理装置内のジョブを第３の情報処理装置に複写または移動する指示を前記第２の情報処理装置に対して行うジョブ転送指示手段と、
前記第２の情報処理装置から前記第３の情報処理装置へ前記ジョブを転送するのに必要な認証キーを前記第３の情報処理装置から獲得する獲得手段と、
前記獲得手段で獲得した前記認証キーを前記第２の情報処理装置へ通知する認証情報通知手段と
を備えていることを特徴とする第１の情報処理装置。
【請求項４】
ネットワークに接続された第１の情報処理装置から指示を与え、第２または第３の情報処理装置でその指示に基づく所定の処理を行うシステムであって、前記第２の情報処理装置から前記第３の情報処理装置にジョブを転送し、前記第３の情報処理装置が認証キーを生成して送信するシステムにおける前記第２の情報処理装置は、
前記ネットワークに接続された第１の情報処理装置から送信されるジョブを受信する受信手段と、
前記受信手段により受信されたジョブの情報処理が行えるかを認識する認識手段と、
前記認識手段により前記ジョブの情報処理を行えないと認識された場合は、そのジョブの情報処理を実行する第３の情報処理装置を決定する決定手段と、
前記決定手段により決定された前記第３の情報処理装置に前記ジョブを転送するのに必要な認証キーであって前記第３の情報処理装置が生成したものを前記第１の情報処理装置から獲得する獲得手段と、
前記獲得手段により獲得された認証キーを用いて前記第３の情報処理装置へ前記ジョブを転送する転送手段と
を備えていることを特徴とする第２の情報処理装置。
【請求項５】
ネットワークに接続された第１の情報処理装置から指示を与え、第２または第３の情報処理装置でその指示に基づく所定の処理を行うシステムであって、前記第２の情報処理装置から前記第３の情報処理装置にジョブを転送し、前記第３の情報処理装置が認証キーを生成して送信するシステムにおける前記第２の情報処理装置は、
前記ネットワークに接続された第１の情報処理装置から送信されるジョブを受信する受信手段と、
前記受信手段により受信されたジョブの情報処理が行えるかを認識する認識手段と、
前記認識手段により前記ジョブの情報処理を行えないと認識された場合は、そのジョブの情報処理を実行する第３の情報処理装置を決定する決定手段と、
前記決定手段により決定された前記第３の情報処理装置に前記ジョブを転送するのに必要な認証キーを前記第３の情報処理装置から獲得する獲得手段と、
前記獲得手段により獲得された認証キーを用いて前記第３の情報処理装置へ前記ジョブを転送する転送手段と
を備えていることを特徴とする第２の情報処理装置。
【請求項６】
請求項４または５記載の第２の情報処理装置において、
前記獲得手段で前記認証キーを獲得できなかった場合、前記第３の情報処理装置以外の他の情報処理装置を決定する代替転送先決定手段を備えている
ことを特徴とする第２の情報処理装置。
【請求項７】
ネットワークに接続された第１の情報処理装置から指示を与え、第２または第３の情報処理装置でその指示に基づく所定の処理を行うシステムであって、前記第２の情報処理装置から前記第３の情報処理装置にジョブを転送し、前記第３の情報処理装置が認証キーを生成して送信するシステムにおける前記第２の情報処理装置は、
前記ネットワークに接続された第１の情報処理装置から送られる第３の情報処理装置へのジョブの転送指示を受信する受信手段と、
前記受信手段により受信された転送指示に基づき前記第３の情報処理装置へ前記ジョブを転送するのに必要な認証キーであって前記第３の情報処理装置が生成したものを前記第１の情報処理装置から獲得する獲得手段と、
前記獲得手段により獲得された認証キーを用いて前記第３の情報処理装置へ前記ジョブを転送する転送手段と
を備えていることを特徴とする第２の情報処理装置。
【請求項８】
ネットワークに接続された第１の情報処理装置から指示を与え、第２または第３の情報処理装置でその指示に基づく所定の処理を行うシステムであって、前記第２の情報処理装置から前記第３の情報処理装置にジョブを転送し、前記第３の情報処理装置が認証キーを生成して送信するシステムにおける前記第２の情報処理装置は、
前記ネットワークに接続された第１の情報処理装置から送られる第３の情報処理装置へのジョブの転送指示を受信する受信手段と、
前記受信手段により受信された転送指示に基づき前記第３の情報処理装置へ前記ジョブを転送するのに必要な認証キーを前記第３の情報処理装置から獲得する獲得手段と、
前記獲得手段により獲得された認証キーを用いて前記第３の情報処理装置へ前記ジョブを転送する転送手段と
を備えていることを特徴とする第２の情報処理装置。
【請求項９】
前記受信手段は、前記第１の情報処理装置から送られる前記転送指示を前記第３の情報処理装置を経由して受信する
ことを特徴とする請求項８記載の第２の情報処理装置。
【請求項１０】
ネットワークに接続された第１の情報処理装置から指示を与え、第２または第３の情報処理装置でその指示に基づく所定の処理を行うシステムであって、前記第２の情報処理装置から前記第３の情報処理装置にジョブを転送し、前記第３の情報処理装置が認証キーを生成して送信するシステムにおける前記第３の情報処理装置は、
前記第１の情報処理装置から出されたジョブを前記第２の情報処理装置を経由して受信する受信手段と、
前記受信手段により受信したジョブの情報処理を行うための認証ができるか否かを判断する認証情報判断手段と、
前記認証情報判断手段で認証できると判断した場合、前記ジョブの情報処理を行うための認証キーを前記第１の情報処理装置へ送信する認証情報送信手段と
を備えていることを特徴とする第３の情報処理装置。
【請求項１１】
ネットワークに接続された第１の情報処理装置から指示を与え、第２または第３の情報処理装置でその指示に基づく所定の処理を行うシステムであって、前記第２の情報処理装置から前記第３の情報処理装置にジョブを転送し、前記第３の情報処理装置が認証キーを生成して送信するシステムにおける前記第３の情報処理装置は、
前記第１の情報処理装置から出されたジョブを前記第１の情報処理装置から受信する受信手段と、
前記受信手段により受信したジョブの情報処理を行うための認証ができるか否かを判断する認証情報判断手段と、
前記認証情報判断手段で認証できると判断した場合、前記ジョブの情報処理を行うための認証キーを前記第２の情報処理装置へ送信する認証情報送信手段と
を備えていることを特徴とする第３の情報処理装置。
【請求項１２】
請求項１１記載の情報処理装置において、
前記ジョブの転送元の情報を含むジョブ転送要求指示を受信する転送要求受信手段と、
前記転送要求受信手段で受信した転送元の情報に基づき前記ジョブの転送要求を前記転送元へ送信する転送要求送信手段と
を備えていることを特徴とする第３の情報処理装置。
【発明の詳細な説明】
【０００１】
【発明の属する技術分野】
本発明は、ＬＡＮ、ＷＡＮ、ファクシミリ通信網等のネットワークを介して情報を転送したり、処理要求を実行する情報処理装置に関する。
【０００２】
【従来の技術】
従来、処理要求を行う第１の情報処理装置と、処理を受け付ける２台以上の情報処理装置から構成されるネットワークシステムにおいては、第１の情報処理装置から処理を要求された第２の情報処理装置で行う機能を補完するため、あるいは第２の情報処理装置の負荷を軽減するために、第２の情報処理装置の処理の一部または全部を第３の情報処理装置等で実行することが行われている。
【０００３】
このように、ネットワークを介して処理を分散させるにあたり、その利用権を管理する方法としては、例えば「分散オペレーティングシステム」（共立出版）に記載されているような以下の２種類がある。
【０００４】
（ａ）上記第２の情報処理装置および第３の情報処理装置に、利用者の認証情報を登録しておく方法。または、いずれかの情報処理装置に登録されている認証情報が他の情報処理装置に自動的に転送される方法。
【０００５】
（ｂ）利用権を管理する第４の情報処理装置を設け、第２の情報処理装置および第３の情報処理装置に対する利用権を第４の情報処理装置から得る方法。または、第２の情報処理装置または第３の情報処理装置が上記第４の情報処理装置を兼務する方法。
【０００６】
【発明が解決しようとする課題】
しかし、（ａ）の方法では、第１の情報処理装置の利用者に関する利用権が、第２および第３の情報処理装置に登録してあっても、第２の情報処理装置から第３の情報処理装置に処理を要求する場合、第２の情報処理装置が第１の情報処理装置の利用者の認証情報を用いて第３の情報処理装置に要求する必要がある。
【０００７】
この時、第２の処理装置に登録されている認証情報と第３の処理装置に登録されている認証情報とが同一でないと第３の情報処理装置では処理を受け付けられない。また、複数の装置に同一の認証情報を持つことになり、認証情報が漏洩する危険性が増大する。
【０００８】
さらに、（ａ）または（ｂ）の方法で、第２の情報処理装置が第１の情報処理装置の利用者のふりをする必要があり、このような方法を可能とすることにより、認証情報が漏洩する危険性が増大する。
【０００９】
また、特開平６−１５２５８６号公報に開示されるように、第３の情報処理装置を第２の情報処理装置に従属するものと位置づけ、第２の情報処理装置が処理要求に対して認証キーを生成し、この認証キーを用いて第２の情報処理装置から第３の情報処理装置に処理を転送する技術が記載されている。
【００１０】
しかしながら、この技術では、第２の処理装置からの転送ジョブであれば、第２の情報処理装置を利用可能で、第３の情報処理装置を利用可能でない利用者のジョブであっても、第３の情報処理装置が利用可能となってしまうという欠点がある。
【００１１】
【課題を解決するための手段】
本発明はこのような課題を解決するために成された情報処理装置である。すなわち、ネットワークに接続された第１の情報処理装置から指示を与え、第２または第３の情報処理装置でその指示に基づく所定の処理を行うシステムであって、第２の情報処理装置から第３の情報処理装置にジョブを転送し、第３の情報処理装置が認証キーを生成して送信するシステムにおける第１の情報処理装置として、ネットワークに接続された第２の情報処理装置に対して要求したジョブを、第２の情報処理装置から第３の情報処理装置へ転送する旨を第２の情報処理装置から受信する転送通知受信手段と、転送通知受信手段で受けたジョブを転送する旨に基づき、第２の情報処理装置から第３の情報処理装置へジョブを転送するのに必要な認証キーを第３の情報処理装置から獲得する獲得手段と、獲得手段で獲得した認証キーを第２の情報処理装置へ通知する認証情報通知手段とを備えている。
【００１２】
上記構成から成る第１の情報処理装置では、第２の情報処理装置に要求したジョブを第３の情報処理装置へ転送するにあたり、獲得手段がそのジョブに対する認証キーを第３の情報処理装置から獲得し、認証情報通知手段によってその獲得した認証キーを第２の情報処理装置へ通知している。これにより、その認証キーに基づき第２の情報処理装置から第３の情報処理装置へジョブを的確に転送できるようになる。
【００１３】
また、本発明における第１の情報処理装置は、ネットワークに接続された第２の情報処理装置に対して要求したジョブを、第２の情報処理装置から第３の情報処理装置へ転送する旨を第２の情報処理装置から受信する転送通知受信手段と、転送通知受信手段で受けたジョブを転送する旨に基づき、第２の情報処理装置から第３の情報処理装置へジョブを転送するのに必要な認証キーを第３の情報処理装置から第２の情報処理装置へ送信する旨を第３の情報処理装置に通知する認証情報送信指示手段とを備えているものでもある。
【００１４】
上記構成から成る第１の情報処理装置では、第２の情報処理装置に要求したジョブを第３の情報処理装置へ転送するにあたり、認証情報送信指示手段がそのジョブにおける認証キーを第３の情報処理装置から第２の情報処理装置へ送信する旨を第３の情報処理装置へ伝えることから、この旨に基づき第３の情報処理装置がそのジョブにおける認証キーを第２の情報処理装置へ送信し、これに基づき第２の情報処理装置から第３の情報処理装置へジョブを的確に転送できるようになる。
【００１５】
また、本発明における第１の情報処理装置は、ネットワークに接続された第２の情報処理装置内のジョブを第３の情報処理装置に複写または移動する指示を第２の情報処理装置に対して行うジョブ転送指示手段と、第２の情報処理装置から第３の情報処理装置へジョブを転送するのに必要な認証キーを第３の情報処理装置から獲得する獲得手段と、獲得手段で獲得した認証キーを第２の情報処理装置へ通知する認証情報通知手段とを備えるものでもある。
【００１６】
上記構成から成る第１の情報処理装置では、第２の情報処理装置内のジョブを第３の情報処理装置へ複写または移動するにあたり、獲得手段がそのジョブを転送するのに必要な認証キーを第３の情報処理装置から獲得している。また、この認証キーを認証情報通知手段が第２の情報処理装置へ通知していることから、この認証キーに基づき第２の情報処理装置から第３の情報処理装置へジョブを的確に複写または移動できるようになる。
【００１７】
また、本発明の第２の情報処理装置は、ネットワークに接続された第１の情報処理装置から送信されるジョブを受信する受信手段と、受信手段により受信されたジョブの情報処理が行えるかを認識する認識手段と、認識手段によりジョブの情報処理を行えないと認識された場合は、そのジョブの情報処理を実行する第３の情報処理装置を決定する決定手段と、決定手段により決定された第３の情報処理装置にジョブを転送するのに必要な認証キーであって第３の情報処理装置が生成したものを第１の情報処理装置から獲得する獲得手段と、獲得手段により獲得された認証キーを用いて第３の情報処理装置へジョブを転送する転送手段とを備えているものである。
【００１８】
上記構成から成る第２の情報処理装置では、受信手段で受信した第１の情報処理装置から送られたジョブを処理できない場合に、決定手段で第３の情報処理装置を決定し、そのジョブを第３の情報処理装置へ転送する。この転送にあたり、獲得手段によりそのジョブを転送するのに必要な認証キーであって第３の情報処理装置が生成したものを第１の情報処理装置から獲得し、転送手段によってその認証キーに基づくジョブの転送を行うことから、第１の情報処理装置から送信されたジョブを第３の情報処理装置へ的確に転送できるようになる。
【００１９】
また、本発明における第２の情報処理装置は、ネットワークに接続された第１の情報処理装置から送信されるジョブを受信する受信手段と、受信手段により受信されたジョブの情報処理が行えるかを認識する認識手段と、認識手段によりジョブの情報処理を行えないと認識された場合は、そのジョブの情報処理を実行する第３の情報処理装置を決定する決定手段と、決定手段により決定された第３の情報処理装置にジョブを転送するのに必要な認証キーを第３の情報処理装置から獲得する獲得手段と、獲得手段により獲得された認証キーを用いて第３の情報処理装置へジョブを転送する転送手段とを備えている。
【００２０】
上記構成から成る第２の情報処理装置では、受信手段で受信した第１の情報処理装置から送られたジョブを処理できない場合に、決定手段で第３の情報処理装置を決定し、そのジョブを第３の情報処理装置へ転送する。このジョブを第３の情報処理装置へ転送するにあたり、獲得手段によりそのジョブを転送するのに必要な認証キーを第３の情報処理装置から獲得し、転送手段によってその認証キーに基づくジョブの転送を行うことから、第１の情報処理装置から送信されたジョブを第３の情報処理装置へ的確に転送できるようになる。
【００２１】
また、本発明における第２の情報処理装置は、ネットワークに接続された第１の情報処理装置から送られる第３の情報処理装置へのジョブの転送指示を受信する受信手段と、受信手段により受信された転送指示に基づき第３の情報処理装置へジョブを転送するのに必要な認証キーであって第３の情報処理装置が生成したものを第１の情報処理装置から獲得する獲得手段と、獲得手段により獲得された認証キーを用いて第３の情報処理装置へジョブを転送する転送手段とを備えている。
【００２２】
上記構成から成る第２の情報処理装置では、受信手段で受信した第１の情報処理装置から送られたジョブを第３の情報処理装置へ転送するにあたり、獲得手段によりそのジョブを転送するのに必要な認証キーであって第３の情報処理装置が生成したものを第１の情報処理装置から獲得し、転送手段によってその認証情報に基づくジョブの転送を行うことから、第１の情報処理装置から送信されたジョブを第３の情報処理装置へ的確に転送できるようになる。
【００２３】
また、本発明における第２の情報処理装置は、ネットワークに接続された第１の情報処理装置から送られる第３の情報処理装置へのジョブの転送指示を受信する受信手段と、受信手段により受信された転送指示に基づき第３の情報処理装置へ前記ジョブを転送するのに必要な認証キーを第３の情報処理装置から獲得する獲得手段と、獲得手段により獲得された認証キーを用いて第３の情報処理装置へジョブを転送する転送手段とを備えている。
【００２４】
上記構成から成る第２の情報処理装置では、受信手段で受信した第１の情報処理装置から送られたジョブを第３の情報処理装置へ転送するにあたり、獲得手段によりそのジョブを転送するのに必要な認証キーを第３の情報処理装置から獲得し、転送手段によってその認証キーに基づくジョブの転送を行うことから、第１の情報処理装置から送信されたジョブを第３の情報処理装置へ的確に転送できるようになる。
【００２５】
また、本発明における第３の情報処理装置は、第１の情報処理装置から出されたジョブを第２の情報処理装置を経由して受信する受信手段と、受信手段により受信したジョブの情報処理を行うための認証ができるか否かを判断する認証情報判断手段と、認証情報判断手段で認証できると判断した場合、ジョブの情報処理を行うための認証キーを第１の情報処理装置へ送信する認証情報送信手段とを備えているものでもある。
【００２６】
上記構成から成る第３の情報処理装置では、第１の情報処理装置から出されたジョブを第２の情報処理装置を経由して予約受信手段で受信し、認証情報判断手段によってこのジョブの情報処理を行うために認証ができると判断した場合には、認証情報送信手段によってそのジョブの情報処理を行うための認証キーを第１の情報処理装置へ送信している。これによって、第２の情報処理装置から転送されるジョブを的確に受けることができるようになる。
【００２７】
また、本発明における第３の情報処理装置は、第１の情報処理装置から出されたジョブを第１の情報処理装置から受信する受信手段と、受信手段により受信したジョブの情報処理を行うための認証ができるか否かを判断する認証情報判断手段と、認証情報判断手段で認証できると判断した場合、ジョブの情報処理を行うための認証キーを第２の情報処理装置へ送信する認証情報送信手段とを備えている。
【００２８】
上記構成から成る第３の情報処理装置では、第１の情報処理装置から出されたジョブを直接予約受信手段で受信し、認証情報判断手段によってこのジョブの情報処理を行うための認証ができると判断した場合には、認証情報送信手段によってそのジョブの情報処理を行うための認証キーを第１の情報処理装置へ送信している。これによって、第２の情報処理装置から転送されるジョブを的確に受けることができるようになる。
【００２９】
【発明の実施の形態】
以下に、本発明の情報処理装置における実施の形態を図に基づいて説明する。図１は、本発明の第１実施形態におけるシステム構成を示す図である。このシステムでは、コンピュータ等から成る第１の情報処理装置１０１と、第１の情報処理装置１０１から出された指示に基づき所定の処理を行うプリンタ、ファクシミリ等から成る第２の情報処理装置１０２および第３の情報処理装置１０３とがネットワークＮに接続された構成となっている。
【００３０】
図２は本実施形態における第１の情報処理装置のハードウェア構成を示すブロック図である。すなわち、第１の情報処理装置では、ＣＰＵ２０１がブートＲＯＭ２０２に格納されているソフトウェアを実行し、ハードディスク２０３からソフトウェアをＲＡＭ２０４にロードし、このロードしたソフトウェアをＣＰＵ２０１が実行する。
【００３１】
また、ソフトウェアの制御により、キーボード２０５から操作者の指示を入力し、ディスプレイ２０６に表示し、ＬＡＮインタフェース２０６によりＬＡＮを介して他の情報処理装置との通信を行う。
【００３２】
図３は本実施形態における第２および第３の情報処理装置のハードウェア構成を示すブロック図である。すなわち、第２および第３の情報処理装置では、ＣＰＵ３０１がブートＲＯＭ３０２に格納されているソフトウェアを実行し、ハードディスク３０３からソフトウェアをＲＡＭ３０４にロードし、このロードしたソフトウェアをＣＰＵ３０１が実行する。
【００３３】
また、ソフトウェアの制御により、操作パネル３０５から操作者の指示を入力を行い、操作パネル３０５に表示を行い、ソフトウェアにより生成したビットマップデータをプリントエンジン３０６により印刷する。また、同様にソフトウェアの制御によって、ＬＡＮインタフェース３０７により、ＬＡＮを介して、他の情報処理装置からのプリントデータの受信、および他の情報処理装置とのその他の通信を行う。
【００３４】
図４は、第１実施形態における情報処理装置間の情報の授受を示す図である。なお、ここでは第１の情報処理装置４０１から第２の情報処理装置４０２に処理の指示を行い、第３の情報処理装置４０３がその処理を実行するものとする。
【００３５】
先ず、操作者が第１の情報処理装置４０１を用いて第２の情報処理装置４０２へプリントを指示した場合、第１の情報処理装置４０１は、第２の情報処理装置４０２にプリントデータを送信する（４１１）。この時、第２の情報処理装置４０２から第１の情報処理装置４０１にプリントのジョブ指示識別子が返信される。
【００３６】
第２の情報処理装置４０２は、受信したプリントデータをプリントできない条件にある時、第３の情報処理装置４０３へのプリントデータの転送を決定し、第３の情報処理装置４０３でプリントを実行するために必要なアクセス権を得るために、第３の情報処理装置４０３へプリントデータの転送を行いたい旨を第１の情報処理装置４０１に通知する（４１２）。
【００３７】
この際、転送するジョブのジョブ識別子が併せて通知される。第１の情報処理装置４０１は、操作者の識別子と第２の情報処理装置４０２に転送されるジョブのジョブ識別子とを第３の情報処理装置４０３に通知し、第３の情報処理装置４０３からそのジョブにのみ有効なアクセス権の認証情報を受信する（４１３）。第１の情報処理装置４０１は、受信した認証情報を第２の情報処理装置４０２に転送する（４１４）。第２の情報処理装置４０２は、受信した認証情報と共にプリントデータを第３の情報処理装置４０３に送信する（４１５）。
【００３８】
次に、図５の処理フローチャートに沿って、第１実施形態における第１の情報処理装置４０１（図４参照）の動作を説明する。先ず、キーボードから入力される操作者の指示またはＬＡＮインターフェースから入力される各種通知等の事象を待つ（Ｓ５０１）。次いで、得られた事象が転送通知以外の場合（Ｓ５０２でＮｏ）、その他の処理を行う（Ｓ５０８）。
【００３９】
ここで、操作者がキーボードからプリント指示を行った場合、プリントデータを指示された第２の情報処理装置４０２（図４参照）に送信する。転送通知をＬＡＮから受信した場合（Ｓ５０２でＹｅｓ）、転送通知で示された転送先である第３の情報処理装置４０３（図４参照）に対して認証情報（以下、「認証キー」と言う。）の要求を送信する（Ｓ５０３）。この時、先の転送通知に示された転送対象となるジョブの識別子を併せて送信する。
【００４０】
次に、転送先である第３の情報処理装置４０３からの認証キーの受信を待つ（Ｓ５０４）。受信された応答が認証キーであれば（Ｓ５０５でＹｅｓ）、転送通知の通知元である第２の情報処理装置４０２にその受信した認証キーを送信する（Ｓ５０６）。受信された応答がエラーであれば（Ｓ５０５でＮｏ）、転送通知の通知元である第２の情報処理装置４０２にエラーを送信する（Ｓ５０６）。
【００４１】
図６は、第１実施形態における第２の情報処理装置４０２（図４参照）の動作を説明するフローチャートである。第２の情報処理装置４０２では、先ず、第１の情報処理装置４０１（図４参照）からのプリント要求を待つ（Ｓ６０１）。
【００４２】
受信したプリント要求が本装置（第２の情報処理装置４０２）でプリント可能かどうかを検査する（Ｓ６０２）。すなわち、用紙サイズが本装置では扱えなかったり、本装置がジャム等の状態で印字不可能であるかどうかを検査する。
【００４３】
プリント可能であった場合（Ｓ６０２でＹｅｓ）、プリントデータをビットマップデータに変換し、プリントエンジンに出力することによりプリントを行う（Ｓ６１０）。プリント可能でなかった場合（Ｓ６０２でＮｏ）、プリント要求の転送先となる情報処理装置を選択する（Ｓ６０３）。
【００４４】
転送先となる情報処理装置が得られなかった場合（Ｓ６０４でＮｏ）、プリント要求元のにエラーを送信する。転送先が得られた場合（Ｓ６０４でＹｅｓ）、要求されたプリントデータを転送する旨をプリント要求元である第１の情報処理装置４０１に通知する（Ｓ６０５）。このことは、プリント要求元にプリントデータを転送するために、転送先にプリントを要求する権利を必要としていることを意味する。
【００４５】
なお、この例では、得られた転送先を第３の情報処理装置４０３（図４参照）とする。次に、ジョブを転送するための認証キーが第１の情報処理装置４０１から送られてくるのを待つ（Ｓ６０６）。転送キーが得られた場合（Ｓ６０７でＹｅｓ）、転送先である第３の情報処理装置４０３にプリント要求を送信する（Ｓ６０８）。この時、得られた認証キーを併せて送信する。認証キーが得られなかった場合（Ｓ６０７でＮｏ）、他の転送先の選択から繰り返す。
【００４６】
図７は、第１実施形態における第３の情報処理装置４０３（図４参照）の動作を説明するフローチャートである。第３の情報処理装置４０３では、先ず、他の情報処理装置からのプリント要求を待つ（Ｓ７０１）。受信した要求が例えば第１の情報処理装置４０１（図４参照）からの認証キー要求である場合（Ｓ７０２でＹｅｓ）、認証キーの要求元の操作者の識別子を検査し、本装置すなわち第３の情報処理装置４０３を使用可能であるかを検査する（Ｓ７０３）。
【００４７】
使用不可能である場合（Ｓ７０４でＮｏ）、認証キーの要求元すなわち第１の情報処理装置４０１にエラーを送信する（Ｓ７０８）。使用可能である場合（Ｓ７０４でＹｅｓ）、認証キー要求と共に受信したジョブ識別子に対する認証キーを生成する（Ｓ７０５）。
【００４８】
次に、生成した認証キーを記憶する（Ｓ７０６）。さらに、生成した認証キーを認証キーの要求元に送信する（Ｓ７０７）。Ｓ７０１で受信した要求がプリント要求であった場合（Ｓ７０９でＹｅｓ）、プリント要求がジョブ認証キーを伴ったものであれば（Ｓ７１０でＹｅｓ）、ジョブ認証キーを検査する（Ｓ７１１）。
【００４９】
プリント要求がジョブ認証キーを伴ったものでなければ（Ｓ７１０でＮｏ）、ユーザ認証キーを検査する（Ｓ７１２）。認証キーが使用可能な認証キーであれば（Ｓ７１３でＹｅｓ）、プリントデータをビットマップに変換し、プリントエンジンに出力する事によりプリントする（Ｓ７１４）。使用可能な認証キーでなければＳ７１３でＮｏ）、エラーをプリント要求元に送信する（Ｓ７１５）。
【００５０】
このように、第１実施形態においては、第１の情報処理装置４０１から第２の情報処理装置４０２に出したプリント要求を第２の情報処理装置４０２で処理できず、第３の情報処理装置４０３で処理する場合に、そのプリント要求における認証を第２の情報処理装置４０２が得て、これに基づきプリント要求を第３の情報処理装置４０３で処理していることから、第２の情報処理装置４０２内に第１の情報処理装置４０１から第３の情報処理装置４０３に対する認証情報を持つことなく第１の情報処理装置４０１が出したプリント要求を第３の情報処理装置４０３で的確に処理できるようになる。
【００５１】
次に、本発明の第２実施形態の説明を行う。図８は第２実施形態における情報処理装置間の情報の授受を示す図である。なお、ここでは第１の情報処理装置８０１から第２の情報処理装置８０２に処理の指示を行い、第３の情報処理装置８０３がその処理を実行するものとする。
【００５２】
先ず、操作者が第１の情報処理装置８０１を用いて第２の情報処理装置８０２へプリントを指示した場合、第１の情報処理装置８０１は、第２の情報処理装置８０２にプリントデータを送信する（８１１）。この時、第２の情報処理装置８０２から第１の情報処理装置８０１にプリントのジョブ指示識別子が返信される。
【００５３】
第２の情報処理装置８０２は、受信したプリントデータをプリントできない条件にある時、第３の情報処理装置８０３へのプリントデータの転送を決定し、第３の情報処理装置８０３でプリントを実行するために必要なアクセス権を得るために、第３の情報処理装置８０３へプリントデータの転送を行いたい旨を、第１の情報処理装置８０１に通知する（８１２）。
【００５４】
この際、転送するジョブのジョブ識別子が併せて通知される。第１の情報処理装置８０１は、操作者の識別子と第２の情報処理装置８０２に転送されるジョブのジョブ識別子とを併せ、第２の情報処理装置８０２から第３の情報処理装置８０３へのプリントジョブの転送を第３の情報処理装置８０３に要求する（８１３）。
【００５５】
第３の情報処理装置８０３は、転送するプリントジョブの認証情報を生成し、生成された認証情報を併せて、第２の情報処理装置８０２にプリントジョブ転送要求を送信する（８１４）。第２の情報処理装置８０２は、受信した認証情報と共にプリントデータを第３の情報処理装置８０３に送信することになる（８１５）。
【００５６】
次に、図９の処理フローチャートに沿って、第２実施形態における第１の情報処理装置８０１（図８参照）の動作を説明する。先ず、キーボードから入力される操作者の指示またはＬＡＮインターフェースから入力される各種通知等の事象を待つ（Ｓ９０１）。次いで、得られた事象が転送通知以外の場合（Ｓ９０２でＮｏ）、その他の処理を行う（Ｓ９０４）。
【００５７】
ここで操作者がキーボードからプリント指示を行った場合、プリントデータを指示された第２の情報処理装置８０２（図８参照）に送信する。転送通知をＬＡＮから受信した場合（Ｓ９０２でＹｅｓ）、転送通知で示された転送先である第３の情報処理装置８０３（図８参照）に対して認証キー送信要求を送信する（Ｓ９０３）。この時、先の転送通知に示された転送対象となるジョブの識別子と転送元の情報処理装置の識別子とを併せて送信する。
【００５８】
第２実施形態における第２の情報処理装置８０２（図８参照）の動作は第１の実施形態と同じであるので省略する（図６参照）。
【００５９】
図１０は、第２実施形態における第３の情報処理装置８０３（図８参照）の動作を説明するフローチャートである。第３の情報処理装置８０３では、先ず、他の情報処理装置からのプリント要求を待つ（Ｓ１００１）。受信した要求が認証キー送信要求である場合（Ｓ１００２でＹｅｓ）、認証キー送信要求元の操作者の識別子を検査し、第３の情報処理装置８０３を使用可能であるかを検査する（Ｓ１００３）。
【００６０】
使用不可能である場合（Ｓ１００４でＮｏ）、プリントジョブの転送元すなわち第２の情報処理装置８０２（図８参照）にエラーを送信する（Ｓ１００８）。使用可能である場合（Ｓ１００４でＹｅｓ）、認証キー送信要求と共に受信したジョブ識別子に対する認証キーを生成する（Ｓ１００５）。
【００６１】
次に、生成した認証キーを記憶する（Ｓ１００６）。さらに、生成した認証キーをプリントジョブの転送元である第２の情報処理装置８０２に送信する（Ｓ１００７）。Ｓ１００１で受信した要求がプリント要求であった場合（Ｓ１００９でＹｅｓ）、プリント要求がジョブ認証キーを伴ったものであれば（Ｓ１０１０でＹｅｓ）、ジョブ認証キーを検査する（Ｓ１０１１）。
【００６２】
プリント要求がジョブ認証キーを伴ったものでなければ（Ｓ１０１０でＮｏ）、ユーザ認証キーを検査する（Ｓ１０１２）。認証キーが使用可能な認証キーであれば（Ｓ１０１３でＹｅｓ）、プリントデータをビットマップに変換し、プリントエンジンに出力する事によりプリントを実行する（Ｓ１０１４）。使用可能な認証キーでなければ（Ｓ１０１３でＮｏ）、エラーをプリント要求元に送信する（Ｓ１０１５）。
【００６３】
このように、第２実施形態においては、第１の情報処理装置８０１から第２の情報処理装置８０２に出したプリント要求を第２の情報処理装置８０２で処理できず、第３の情報処理装置８０３で処理する場合に、そのプリント要求における認証を第３の情報処理装置８０３から直接第２の情報処理装置８０２が得て、これに基づきプリント要求を第３の情報処理装置８０３で処理していることから、第２の情報処理装置８０２内に第１の情報処理装置８０１から第３の情報処理装置８０３に対する認証情報を持つことなく第１の情報処理装置８０１が出したプリント要求を第３の情報処理装置８０３で的確に処理できるようになる。
【００６４】
次に、本発明の第３実施形態の説明を行う。図１１は第３実施形態における情報処理装置間の情報の授受を示す図である。なお、ここでは第１の情報処理装置１１０１から第２の情報処理装置１１０２に所定の処理（ジョブの複写や移動等）の指示を行い、この処理を第２の情報処理装置１１０２が第３の情報処理装置１１０３へ転送するものとする。また、複写や移動の対象となるジョブには、プリントのための情報の他、処理コマンドや情報の格納場所を示すデータ（ＵＲＬ：Uniform Resource locator）等を含むものとする。
【００６５】
先ず、操作者が第１の情報処理装置１１０１を用いて第２の情報処理装置１１０２内のジョブの複写または移動を指示した場合、操作者の識別子と複写・移動するジョブのジョブ識別子とを、第３の情報処理装置１１０３に通知し、第３の情報処理装置１１０３からそのジョブにのみ有効なアクセス権の認証情報を受信する（１１１１）。
【００６６】
第１の情報処理装置１１０１は、受信した認証情報を併せて、複写または移動要求を第２の情報処理装置１１０２に送信する（１１１２）。第２の情報処理装置１１０２は、受信した認証情報と共にプリントデータを第３の情報処理装置１１０３に送信することになる（１１１３）。
【００６７】
次に、図１２の処理フローチャートに沿って、第３実施形態における第１の情報処理装置１１０１（図１１参照）の動作を説明する。先ず、キーボードから入力される操作者の指示またはＬＡＮインターフェースから入力される各種通知等の事象を待つ（Ｓ１２０１）。
【００６８】
次いで、得られた事象が複写・移動の指示以外の場合（Ｓ１２０２でＮｏ）、その他の処理を行う（Ｓ１２０９）。ここで操作者がキーボードからプリント指示を行った場合、プリントデータを指示された情報処理装置に送信する。
【００６９】
一方、複写・移動の指示を入力した場合（Ｓ１２０２でＹｅｓ）、複写・移動先である第３の情報処理装置１１０３（図１１参照）に対して認証キーの要求を送信する（Ｓ１２０３）。この時、複写・移動対象となるジョブの識別子を併せて送信する。
【００７０】
次に、転送先である第３の情報処理装置１１０３からの認証キーの受信を待つ（Ｓ１２０４）。受信された応答が認証キーであれば（Ｓ１２０５でＹｅｓ）、複写・移動元である第２の情報処理装置１１０２（図１１参照）に移動・複写指示を送信し（Ｓ１２０６）、認証キーを併せて送信する（Ｓ１２０７）。受信された応答がエラーであれば（Ｓ１２０５でＮｏ）、エラーをディスプレイに表示する（Ｓ１２０８）。
【００７１】
図１３は、第３実施形態における第２の情報処理装置１１０２（図１１参照）の動作を説明するフローチャートである。第２の情報処理装置１１０２では、先ず、他の情報処理装置からの各種要求を待つ（Ｓ１３０１）。プリント要求である場合（Ｓ１３０２でＹｅｓ）、プリントデータをビットマップデータに変換し、プリントエンジンに出力することによりプリントする（Ｓ１３０６）。
【００７２】
一方、プリントジョブの複写・移動要求であった場合（Ｓ１３０３でＹｅｓ）、プリントジョブを転送するための認証キーが送られてくるのを待つ（Ｓ１３０４）。転送キーが得られた後、転送先である第３の情報処理装置１１０３（図１１参照）にプリント要求を送信する（Ｓ１３０５）。この時、得られた認証キーを併せて送信することになる。
【００７３】
第３実施形態における第３の情報処理装置１１０３（図１１参照）の動作フローは、第１実施形態と同じであるので省略する。
【００７４】
このように、第３実施形態においては、第１の情報処理装置１１０１から第２の情報処理装置１１０２内のジョブを第３の情報処理装置１１０３へ複写、移動等を行う指示を与えた場合、その指示における認証を第２の情報処理装置１１０３が得て、これに基づき第３の情報処理装置１１０３へジョブの複写、移動等を行うことから、第２の情報処理装置１１０２内に第１の情報処理装置１１０１から第３の情報処理装置１１０３に対する認証情報を持つことなく第１の情報処理装置１１０１が出したジョブの複写、移動等の指示を第２の情報処理装置１１０２で的確に処理できるようになる。
【００７５】
次に、本発明の第４実施形態の説明を行う。図１４は第４実施形態における情報処理装置間の情報の授受を示す図である。なお、ここでは第１の情報処理装置１４０１から第２の情報処理装置１４０２に所定の処理（ジョブの複写や移動等）の指示を行い、この処理を第２の情報処理装置１４０２が第３の情報処理装置１４０３へ転送するものとする。
【００７６】
先ず、操作者が第１の情報処理装置１４０１を用いて第２の情報処理装置１４０２内のジョブの複写または移動を指示した場合、第２の情報処理装置１４０２に複写・移動要求を送信する（１４１１）。この時、第２の情報処理装置１４０２は、プリントジョブの複写・移動先のアクセス権の受信待ちとなる。
【００７７】
次に、第１の情報処理装置１４０１は、操作者の識別子と複写・移動するジョブのジョブ識別子と複写・移動元の情報とを併せ、アクセス権の送信要求を第３の情報処理装置１４０３に送信する（１４１２）。第３の情報処理装置１４０３は、そのジョブにのみ有効なアクセス権としての認証情報を第２の情報処理装置１４０２に送信する（１４１３）。第２の情報処理装置１４０２は、受信した認証情報と共にプリントデータを第３の情報処理装置１４０３に送信することになる（１４１４）。
【００７８】
次に、図１５の処理フローチャートに沿って、第４実施形態における第１の情報処理装置１４０１（図１４参照）の動作を説明する。先ず、キーボードから入力される操作者の指示またはＬＡＮインターフェースから入力される各種通知等の事象を待つ（Ｓ１５０１）。
【００７９】
得られた事象が複写・移動の指示以外の場合（Ｓ１５０２でＮｏ）、その他の処理を行う（Ｓ１５０５）。ここで、操作者がキーボードからプリント指示を行った場合、プリントデータを指示された情報処理装置に送信する。
【００８０】
一方、複写・移動の指示を入力した場合（Ｓ１５０２でＹｅｓ）、複写・移動元である第２の情報処理装置１４０２（図１４参照）に対して、プリントジョブの複写・移動要求を送信する（Ｓ１５０３）。
【００８１】
さらに、複写・移動先である第３の情報処理装置１４０３（図１４参照）に対して、認証キーの送信を要求する（Ｓ１５０４）。この時、複写・移動対象となるジョブの識別子を併せて送信する。
【００８２】
第４実施形態では、第２の情報処理装置１４０２（図１４参照）および第３の情報処理装置１４０３（図１４参照）の動作は、第３実施形態と同じであるので省略する。
【００８３】
このように、第４実施形態においては、第１の情報処理装置１４０１から第２の情報処理装置１４０２内のジョブを第３の情報処理装置１４０３へ複写、移動等を行う指示を与えた場合、その指示における認証を第３の情報処理装置１４０３から直接第２の情報処理装置１４０３が得て、これに基づき第３の情報処理装置１４０３へジョブの複写、移動等を行うことから、第２の情報処理装置１４０２内に第１の情報処理装置１４０１から第３の情報処理装置１４０３に対する認証情報を持つことなく第１の情報処理装置１４０１が出したジョブの複写、移動等の指示を第２の情報処理装置１４０２で的確に処理できるようになる。
【００８４】
次に、本発明の第５実施形態の説明を行う。図１６は第５実施形態における情報処理装置間の情報の授受を示す図である。なお、ここでは第１の情報処理装置１６０１から第３の情報処理装置１６０３に第２の情報処理装置１６０２内にあるジョブの複写または移動等の指示を行うものとする。
【００８５】
先ず、操作者が第１の情報処理装置１６０１を用いて第２の情報処理装置１６０２内のジョブの複写または移動を指示した場合、第３の情報処理装置１６０３に対し、第２の情報処理装置１６０２からのプリントジョブの複写・移動要求を送信する（１６１１）。
【００８６】
第３の情報処理装置１６０３は、プリントジョブの複写・移動要求を第２の情報処理装置１６０２に送信する（１６１２）。また、第３の情報処理装置１６０３は、そのジョブにのみ有効なアクセス権としての認証情報を第２の情報処理装置１６０２に送信する（１６１３）。
【００８７】
第２の情報処理装置１６０２は、受信した認証情報と共にプリントデータを第３の情報処理装置１６０３に送信することになる（１６１４）。
【００８８】
次に、図１７の処理フローチャートに沿って、第５実施形態における第１の情報処理装置１６０１（図１６参照）の動作を説明する。先ず、キーボードから入力される操作者の指示またはＬＡＮインターフェースから入力される各種通知等の事象を待つ（Ｓ１７０１）。
【００８９】
次いで、得られた事象が複写・移動の指示以外の場合（Ｓ１７０２でＮｏ）、その他の処理を行う（Ｓ１７０４）。ここで、操作者がキーボードからプリント指示を行った場合、プリントデータを指示された情報処理装置に送信する。
【００９０】
一方、複写・移動の指示を入力した場合（Ｓ１７０２でＹｅｓ）、複写・移動先である第３の情報処理装置１６０３（図１６参照）に対して、プリントジョブの複写・移動要求を送信する（Ｓ１７０３）。この時、複写・移動対象となるジョブの識別子を併せて送信することになる。
【００９１】
第５実施形態における第２の情報処理装置１６０２（図１６参照）の動作は第３実施形態と同じであるので省略する。
【００９２】
図１８は、第５実施形態における第３の情報処理装置１６０３（図１６参照）の動作を説明するフローチャートである。第３の情報処理装置１６０３では、先ず、他の情報処理装置からの各種要求を待つ（Ｓ１８０１）。
【００９３】
受信した要求が複写・移動要求である場合（Ｓ１８０２でＹｅｓ）、複写・移動の要求元の操作者の識別子を検査し、第３の情報処理装置１６０３を使用可能であるかを検査する（Ｓ１８０３）。
【００９４】
使用不可能である場合（Ｓ１８０４でＮｏ）、要求元すなわち第１の情報処理装置１６０１（図１６参照）にエラーを送信する（Ｓ１８０９）。使用可能である場合（Ｓ１８０４でＹｅｓ）、プリントジョブの転送要求を複写・移動元である第２の情報処理装置１６０２（図１６参照）に送信する（Ｓ１８０５）。
【００９５】
次に、複写・移動要求と共に受信したジョブ識別子に対する認証キーを生成し（Ｓ１８０６）。生成した認証キーを記憶する（Ｓ１８０７）。さらに、生成した認証キーをプリントジョブの転送要求を複写・移動元である第２の情報処理装置１６０２に送信する（Ｓ１８０８）。
【００９６】
Ｓ１８０１で受信した要求がプリント要求であった場合（Ｓ１８１０でＹｅｓ）、プリント要求がジョブ認証キーを伴ったものであれば（Ｓ１８１１でＹｅｓ）、ジョブ認証キーを検査する（Ｓ１８１２）。
【００９７】
プリント要求がジョブ認証キーを伴ったものでなければ（Ｓ１８１１でＮｏ）、ユーザ認証キーを検査する（Ｓ１８１３）。認証キーが使用可能な認証キーであれば（Ｓ１８１４でＹｅｓ）、プリントデータをビットマップに変換し、プリントエンジンに出力する事によりプリントする（Ｓ１８１５）。使用可能な認証キーでなければ（Ｓ１８１４でＮｏ）、エラーをプリント要求元である第１の情報処理装置１６０１に送信する（Ｓ７１５）。
【００９８】
このように、第５実施形態においては、第１の情報処理装置１６０１から第２の情報処理装置１６０２内のジョブを第３の情報処理装置１６０３へ複写、移動等を行う指示を与えた場合、その指示を複写、移動先である第３の情報処理装置１６０３に直接与え、その認証を第３の情報処理装置１６０３から複写、移動元である第２の情報処理装置１６０３を与えて、これに基づき第３の情報処理装置１６０３へジョブの複写、移動等を行うことから、第２の情報処理装置１６０２内に第１の情報処理装置１６０１から第３の情報処理装置１６０３に対する認証情報を持つことなく第１の情報処理装置１６０１が出したジョブの複写、移動等の指示を第２の情報処理装置１６０２で的確に処理できるようになる。
【００９９】
なお、上記いずれの実施形態においても、第１から第３の３つの情報処理装置がネットワークに接続されたシステムを例として説明を行ったが、本発明はこれに限定されず、さらに多くの情報処理装置がネットワークに接続されたシステムでもよく、この場合にはその中の３つの情報処理装置間の情報の授受について上記と同様な動作を行うことになる。
【０１００】
【発明の効果】
以上説明したように、本発明の情報処理装置によれば次のような効果がある。すなわち、第１の情報処理装置から第２の情報処理装置に出された指示を第３の情報処理装置で処理する場合、第２の情報処理装置および第３の情報処理装置で同じ認証情報を登録しておく必要がなくなり、認証情報の漏洩を最小限に抑制できることになる。
【０１０１】
また、第２の情報処理装置が第１の情報処理装置またはその利用者の認証を使用することなく、情報の転送を行うことができるようになる。しかも、第２の情報処理装置を経由して第３の情報処理装置に処理を行わせる場合であっても、処理を要求した利用者が第３の情報処理装置を利用可能な者である場合に限り情報の転送を行うことができ、不正使用を的確に防止できるようになる。
【図面の簡単な説明】
【図１】  第１実施形態におけるシステム構成を示す図である。
【図２】  第１の情報処理装置におけるハードウェア構成を示すブロック図である。
【図３】  第２および第３の情報処理装置におけるハードウェア構成を示すブロック図である。
【図４】  第１実施形態における情報処理装置間の情報の授受を示す図である。
【図５】  第１の情報処理装置における処理フローチャートである。
【図６】  第２の情報処理装置における処理フローチャートである。
【図７】  第３の情報処理装置における処理フローチャートである。
【図８】  第２実施形態における情報処理装置間の情報の授受を示す図である。
【図９】  第１の情報処理装置における処理フローチャートである。
【図１０】  第３の情報処理装置における処理フローチャートである。
【図１１】  第３実施形態における情報処理装置間の情報の授受を示す図である。
【図１２】  第１の情報処理装置における処理フローチャートである。
【図１３】  第２の情報処理装置における処理フローチャートである。
【図１４】  第４実施形態における情報処理装置間の情報の授受を示す図である。
【図１５】  第１の情報処理装置における処理フローチャートである。
【図１６】  第５実施形態における情報処理装置間の情報の授受を示す図である。
【図１７】  第１の情報処理装置における処理フローチャートである。
【図１８】  第３の情報処理装置における処理フローチャートである。
【符号の説明】
１０１…第１の情報処理装置、１０２…第２の情報処理装置、１０３…第３の情報処理装置、Ｎ…ネットワーク
【図１】
0003885290.tif 000002
【図２】
0003885290.tif 000003
【図３】
0003885290.tif 000004
【図４】
0003885290.tif 000005
【図５】
0003885290.tif 000006
【図６】
0003885290.tif 000007
【図７】
0003885290.tif 000008
【図８】
0003885290.tif 000009
【図９】
0003885290.tif 000010
【図１０】
0003885290.tif 000011
【図１１】
0003885290.tif 000012
【図１２】
0003885290.tif 000013
【図１３】
0003885290.tif 000014
【図１４】
0003885290.tif 000015
【図１５】
0003885290.tif 000016
【図１６】
0003885290.tif 000017
【図１７】
0003885290.tif 000018
【図１８】
0003885290.tif 000019